(57)【要約】【課題】記録紙の搬送路に形成された開口から記録紙の紙粉が落ちても、その紙粉が電源回路基板上に付着しにくく電源回路基板から発生する熱の放出を妨げない画像形成装置を提供する。【解決手段】電源回路基板４６の上方にガイド部材２９が設けられ、電源回路基板４６とガイド部材２９との間に仕切り部材４０が設けられている。ガイド部材２９及び仕切り部材４０には、電源回路基板４６から発生した熱を搬送路１７へ放出させるための第１の開口である開口３０・３０・・・及び第２の開口である開口４１・４１・・・が各々形成されている。搬送路１７に沿って搬送される記録紙からは紙粉が発生する。その紙粉は、ガイド部材２９に形成された開口３０・３０・・・から落ち、仕切り部材４０の上面４５に付着していく。【選択図】図１
2008276012.tif 000002
【特許請求の範囲】
【請求項１】
記録紙が搬送される画像形成装置であって、
電源回路基板と、
前記電源回路基板の上方にかつ前記記録紙の搬送路に沿って設けられ、前記電源回路基板から発生した熱を放出させるための第１の開口が形成されたガイド部材と、
平面視において前記搬送路から前記第１の開口を介して前記電源回路基板が見えないように、前記電源回路基板と前記ガイド部材との間に設けられた仕切り部材とを備え、
前記仕切り部材の大きさが、平面視において前記仕切り部材の周縁から外方部分に前記ガイド部材と重ならない部分を有するように設定された、画像形成装置。
【請求項２】
前記仕切り部材には前記熱を放出させるための第２の開口が、平面視において前記第１の開口と重ならないように形成された、請求項１記載の画像形成装置。
【請求項３】
前記仕切り部材の周縁及び前記第２の開口の周縁に沿って、上方に向かって立ち上がり部が形成された、請求項２記載の画像形成装置。
【発明の詳細な説明】
【技術分野】
【０００１】
この発明は画像形成装置に関し、特に記録紙の搬送路が電源回路基板の上方を通過する画像形成装置に関する。
【背景技術】
【０００２】
従来、例えばＳの字を描くようにして記録紙が搬送され、記録紙の搬送路が電源回路基板の上方を通過するように構成されている画像形成装置がある。電源回路基板の上方に位置するこの搬送路のガイド部材には、電源回路基板から発生する熱を上方に放出させるために、複数の開口が形成されている。同様に、電子機器内部に発生した熱を放出するための開口が形成され、その開口から水滴や埃が内部に侵入しないようにするために、放熱孔群１ａと電源回路基板４との間に樋状部２ａを取り付けた技術（特許文献１参照）やシールドケース５と下筐体７との間に仕切壁１７を設けた技術（特許文献２参照）が開示されている。
【０００３】
【特許文献１】特開２００２−３５３６４５号公報
【特許文献２】特開２０００−７８０４９号公報
【発明の開示】
【発明が解決しようとする課題】
【０００４】
上記のような従来の画像形成装置では、記録紙が搬送路を通過すると、記録紙の紙粉が搬送路のガイド部材に形成された開口を介して電源回路基板上に落ちて付着してしまう。電源回路基板上に紙粉が付着するため、電源回路基板から発生する熱の放熱効果が低下する虞がある。この放熱に関しては、冷却ファンを用いて側方への熱の放出もできるが、価格及び消費電力の上昇につながり、余り好ましいとはいえない。又、記録紙の搬送路や搬送ローラ等各部材のレイアウト上、冷却ファンを設けられない場合もある。
【０００５】
この発明は、上記のような課題を解決するためになされており、記録紙の搬送路に形成された開口から記録紙の紙粉が落ちても、その紙粉が電源回路基板上に付着しにくく電源回路基板から発生する熱の放出を妨げない画像形成装置の提供を目的とする。
【課題を解決するための手段】
【０００６】
上記の目的を達成するために、請求項１記載の発明は、記録紙が搬送される画像形成装置であって、電源回路基板と、電源回路基板の上方にかつ記録紙の搬送路に沿って設けられ、電源回路基板から発生した熱を放出させるための第１の開口が形成されたガイド部材と、平面視において搬送路から第１の開口を介して電源回路基板が見えないように、電源回路基板と前記ガイド部材との間に設けられた仕切り部材とを備え、仕切り部材の大きさが、平面視において仕切り部材の周縁から外方部分にガイド部材と重ならない部分を有するように設定されている。
【０００７】
このように構成すると、仕切り部材の側方及びガイド部材に形成された開口を介して搬送路へ放熱されると共に、ガイド部材に形成された開口から落ちた記録紙の紙粉が仕切り部材で止まる。
【０００８】
請求項２記載の発明は、請求項１記載の発明の構成において、仕切り部材には熱を放出させるための第２の開口が、平面視において第１の開口と重ならないように形成されている。
【０００９】
このように構成すると、電源回路基板から発生した熱が仕切り部材に形成された開口を介して搬送路へ放出される。
【００１０】
請求項３記載の発明は、請求項２記載の発明の構成において、仕切り部材の周縁及び第２の開口の周縁に沿って、上方に向かって立ち上がり部が形成されたものである。
【００１１】
このように構成すると、紙粉の水平方向の移動が立ち上がり部によって規制される。
【発明の効果】
【００１２】
以上説明したように、請求項１記載の発明は、仕切り部材の側方及びガイド部材に形成された開口を介して搬送路へ放熱されると共に、ガイド部材に形成された開口から落ちた記録紙の紙粉が仕切り部材で止まるため、搬送路へ放熱させつつ電源回路基板上に紙粉が落ちにくくなり、使い勝手のよい画像形成装置となる。
【００１３】
請求項２記載の発明は、請求項１記載の発明の効果に加えて、電源回路基板から発生した熱が仕切り部材に形成された開口を介して搬送路へ放出されるため、放熱効果を更に高めることができ、効率的な画像形成装置となる。
【００１４】
請求項３記載の発明は、請求項２記載の発明の効果に加えて、紙粉の水平方向の移動が立ち上がり部によって規制されるため、電源回路基板上に紙粉が更に落ちにくくなる。
【発明を実施するための最良の形態】
【００１５】
次に、発明の実施の形態について図を用いて説明する。
【００１６】
図１はこの発明の第１の実施の形態による画像形成装置の概略構成を示した断面図である。
【００１７】
図１を参照して、画像形成装置１０は記録紙に画像を形成するための部材が内部に構成された箱体１１を備えている。箱体１１の下部には引出し形式の給紙カセット１２が配置されている。給紙カセット１２の内部には給紙トレイ１３が設けられている。この給紙トレイ１３の上面には所定の大きさの記録紙が積層される。又、給紙カセット１２の近傍には給紙ローラ１４が配置されている。給紙トレイ１３は、その上面に積層された記録紙の最上面が給紙ローラ１４に接するようにバネ部材１５により上方に付勢されている。この状態で、給紙ローラ１４が回転駆動すると、摩擦力により記録紙が１枚ずつ搬送路１７に給紙される。搬送路１７は、図１の２点鎖線で示された矢印に沿って、側面視において、全体としてＳの字を描くように形成されている。又、搬送路１７に沿って、搬送路１７を囲うようにガイド部材は配置されている。これらのガイド部材のうち、記録紙の紙面の表裏両面に対向する側に配置されるガイド部材が図１に示されている。ガイド部材２９はこれらのガイド部材の１つである。
【００１８】
給紙ローラ１４の記録紙搬送方向下流側には、搬送ローラ対１６が配置されている。この搬送ローラ対１６により、記録紙が搬送路１７に沿って設けられたガイド部材２９の上面に接触しながら、更に記録紙搬送方向下流側に配置されたレジストローラ対３４まで搬送される。静止状態にあるレジストローラ対３４に搬送されてきた記録紙が突き当たると、傾いて搬送されてきた記録紙の傾きが補正される。傾きが補正された後にレジストローラ対３４は回転し、記録紙は搬送される。
【００１９】
上記ガイド部材２９の下方には、後述する仕切り部材４０が配置され、仕切り部材４０の下方には、画像形成装置１０を作動させるための電源回路基板４６が配置されている。即ち、電源回路基板４６の上方にガイド部材２９が設けられ、電源回路基板４６とガイド部材２９との間に仕切り部材４０が設けられている。ガイド部材２９の下面には、内面にネジ山を有する中空円柱状の取付け部３１・３１・・・が形成されている。仕切り部材４０は、その取付け部３１・３１・・・を介して取付けネジ３２・３２・・・により取り付けられている。ガイド部材２９及び仕切り部材４０には、電源回路基板４６から発生した熱を搬送路１７へ放出させるための第１の開口である開口３０・３０・・・及び第２の開口である開口４１・４１・・・が各々形成されている。尚、ガイド部材２９は、電源回路基板４６の上方に、かつ搬送路１７に沿って設けられ、記録紙が当該部分を通過したときの記録紙の下方側の部分である。
【００２０】
レジストローラ対３４の下流側には、感光体ドラム１８と転写ローラ１９とが配置されている。又、感光体ドラム１８の周囲に沿ってクリーニングローラ２０、コロナ帯電器２１及び現像ローラ２３が配置されている。感光体ドラム１８の近傍には、上記現像ローラ２３をその一部とする現像器２２とレーザスキャナユニット２４が配置されている。又、転写ローラ１９が搬送路１７を挟んで感光体ドラム１８と対向するように配置されている。クリーニングローラ２０は導電性のスポンジ等からなり、転写後の感光体ドラム１８の表面に付着したトナーや紙粉を除去する。コロナ帯電器２１は、コロトロンからの放電により感光体ドラム１８の表面を一様に帯電する。クリーニングローラ２０により清掃され、コロナ帯電器２１により一様に帯電された感光体ドラム１８に、レーザスキャナユニット２４により画像信号に応じて露光することで、潜像が形成される。次に、現像器２２内のトナーを現像ローラ２３を介して感光体ドラム１８に形成された潜像に転移させる。すると、潜像が可視像化されトナー像が形成される。次に、所定の電圧が転写ローラ１９に加わると、感光体ドラム１８の表面に形成されたトナー像が、転写ローラ１９により記録紙に転写される
【００２１】
感光体ドラム１８及び転写ローラ１９の記録紙搬送方向下流側には、記録紙に転写されたトナー像を定着させる定着部が設けられている。この定着部は、定着ローラ２５と記録紙を挟んで対向するように配置された加圧ローラ２６とから構成されている。上述のように記録紙に転写されたトナー像は、記録紙が定着ローラ２５と加圧ローラ２６とに狭まれ加熱及び加圧されることにより、記録紙に定着される。
【００２２】
定着部の記録紙搬送方向下流側には、排紙ローラ対２７が配置されている。この排紙ローラ対２７により、記録紙は箱体１１に形成された排紙口３３から排出され、箱体１１上部の排紙トレイ２８に積載される。
【００２３】
次に、仕切り部材４０について説明する。
【００２４】
図２は図１で示した仕切り部材の上面図である。
【００２５】
図１及び図２を参照して、仕切り部材４０は、平面視矩形形状を有する平板から構成されている。仕切り部材４０には、円形形状の複数の開口４１・４１・・・が、平面視において縦横に整列して全面に渡って形成されている。又、取付けネジ３２・３２・・・を通すためのネジ孔４４が、仕切り部材４０の平面視におけるコーナーの各々に形成されている。仕切り部材４０の周縁及び開口４１・４１・・・の各々の周縁には、上方に向かって延びるように立ち上がり部４３及び立ち上がり部４２・４２・・・が形成されている。
【００２６】
次に、ガイド部材２９と仕切り部材４０との位置関係について説明する。
【００２７】
図３は図１で示した仕切り部材部分を下方から見た図である。
【００２８】
図３を参照して、仕切り部材４０は、長手方向及び短手方向の長さがガイド部材２９より小さく設定されて、ガイド部材２９のほぼ中央に取付けネジ３２・３２・・・により取り付けられている。仕切り部材４０の大きさは、仕切り部材４０の周縁から外方部分にガイド部材２９と重ならない部分を有するように設定されている。開口３０・３０・・・が、図３の破線で示したように、ガイド部材２９の開口４１を除いた仕切り部材４０と重なる部分に２列に整列して形成されている。ガイド部材２９に形成された開口３０・３０・・・と仕切り部材４０に形成された開口４１・４１・・・とが平面視において互いに重ならないように、ガイド部材２９と仕切り部材４０との位置関係は定められている。
【００２９】
上記のような電源回路基板４６の上方に仕切り部材４０を備えた画像形成装置１０にあっては、電源回路基板４６から発生した熱が、先ず仕切り部材４０に形成された開口４１・４１・・・及び仕切り部材４０の周縁より外方部分を介して放出される。仕切り部材４０に開口４１・４１・・・が形成されていない場合には、外方部分のみを介して放出される。次に、その熱はガイド部材２９に形成された開口３０・３０・・・を介して搬送路１７へ放出される。次に、その熱は箱体１１の上面に形成された排熱口３５を介して箱体１１の外部へ放出される。ところで、搬送路１７に沿って搬送される記録紙からは、紙粉が発生する。その紙粉の一部はガイド部材２９に形成された開口３０・３０・・・から落ち、仕切り部材４０の上面４５に付着していく。
【００３０】
したがって、画像形成装置１０では、電源回路基板４６から発生した熱を搬送路１７へ放出させつつ、開口３０・３０・・・から落ちた紙粉が電源回路基板４６上に落ちにくくできる。又、立ち上がり部４２・４２・・・及び立ち上がり部４３が形成されているため、開口３０・３０・・・から落ちた紙粉は水平方向の移動が規制され、電源回路基板４６上に更に落ちにくくできる。電源回路基板４６上に上記紙粉が付着しにくく、電源回路基板４６から発生する熱の搬送路１７への放出を妨げない使い勝手のよい画像形成装置１０となる。
【００３１】
尚、上記の実施の形態では、仕切り部材は矩形形状を有しているが、平面視においてガイド部材に形成された開口と重なっていれば、他の形状であってもよい。
【００３２】
又、上記の実施の形態では、仕切り部材には開口が形成されているが、電源回路基板から発生した熱を仕切り部材の周縁より外方部分を介して上方に放出できれば、開口はなくてもよい。また、開口の代わりに仕切り部材の周縁に切欠きを形成してもよい。
【００３３】
更に、上記の実施の形態では、仕切り部材には立ち上がり部が形成されているが、仕切り部材が平面視においてガイド部材に形成された開口と重なっていれば、立ち上がり部はなくてもよい。
【００３４】
更に、上記の実施の形態では、ガイド部材及び仕切り部材に形成された開口は円形形状を有しているが、電源回路基板から発生した熱を放出できれば、他の形状であってもよい。
【００３５】
更に、上記の実施の形態では、仕切り部材は取付けネジによりガイド部材に取り付けられているが、安定して取り付けできれば、他の取付け方法により他の取付け部分に取り付けられてもよい。
【００３６】
更に、上記の実施の形態では、本体上部に形成された排熱口から排熱されているが、本体外部に放熱することができれば、記録紙の搬送路を利用して排紙口から排熱されてもよい。
【図面の簡単な説明】
【００３７】
【図１】この発明の第１の実施の形態による画像形成装置の概略構成を示した断面図である。
【図２】図１で示した仕切り部材の上面図である。
【図３】図１で示した仕切り部材部分を下方から見た図である。
【符号の説明】
【００３８】
１０    画像形成装置
１７    搬送路
２９    ガイド部材
３０，４１    開口
４０    仕切り部材
４２，４３    立ち上がり部
４６    電源回路基板
【図１】
2008276012.tif 000003
【図２】
2008276012.tif 000004
【図３】
2008276012.tif 000005